(57)【要約】【課題】先の中越地震や阪神淡路大震災も最初は震度７の大きな縦揺れであった。特に震源地の淡路島北淡町では、震度７の突き上げる様な物凄い縦揺れで、土台と基礎をつなぐボルトやナットが飛んだりグランドピアノやベッドが宙に浮く等の強烈な衝撃があり、多くの死傷者が出た。今の耐震構造では、地震の揺れが、そのまま伝わり、特に木造の家屋はホゾを、上から入れるものが殆どで、いくら金物で留めても大地震の縦揺れの衝撃で突き上げられると外れたり緩んだりしてその後横揺れで筋交いが折れたり外れたりして桁、等を突き上げて倒壊する例が多くあり、いかに最初の大きな縦揺れを逃がせるかが課題であった。【解決手段】      震度７の大きな縦揺れや、横揺れが数分間続いても、土台の台形振動受けが、勾配と摩擦や、スプリングの力で上下左右に動いて衝撃を逃がし、あたかも胴上げやシーソーをしている様なゆっくりとした揺れに変えられる、八角形土台免震装置。【選択図】図３０
2008106604.tif 000002
【特許請求の範囲】
【請求項１】
直下型と言われる大地震において、横揺れ及び、強烈に突き上げる縦揺れに対して、建物の大きさや質量、建て方、間取り等の違いによって、四角形や五角形，六角形、七角形及び八角形のスライドする土台をひとつ選び、強力なスプリングの弾力とスライド板との、勾配と抵抗及び摩擦を利用して衝撃を緩衝させる四角から八角形の土台免震装置。
【請求項２】
建物の大きさや、質量が異なっても、四角形や五角形，六角形、七角形及び八角形のスライドする土台の台形振動受けや、スライド板の勾配及びスプリングの強さを変える事によって、抵抗や摩擦が変わり、建物の上昇及び下降の距離や速度と横揺れの幅を一定に調整する事ができる四角から八角形の土台免震装置。
【請求項３】
四角形や五角形，六角形、七角形及び八角形土台免震装置を２階建て以上の通し柱に取り付けるもので、上の階の床下に、柱を中心に約６０ｃｍ角の空間を取り、柱を挟んで平行に２台設置して免震効果を向上させる通し柱用免震装置。
【請求項４】
住宅やビル、及びマンション等の大きな建物の柱にとりつけられて、上下、左右の激しい揺れに対して、逆台形のスライドする柱受けに、スプリングを取り付け、緩衝させたり、又柱ボックス用スポンジゴムにスプリングを当ててさらにクッション性を向上させる柱免震システム。
【請求項５】
角パイプの中や、Ｈ形鋼の空間部分に、木の角材をピッタリ入れる事によって強度を上げ、上や横からの荷重と振動及び火災時の熱に対し、強くして建物の梁や桁、及び免震用のパイプに使用する難燃性塗料を浸み込ませた、木材入り角パイプと木材入りＨ形鋼。
【請求項６】
現在建っている建物を大地震の衝撃から守る為に、建物の周囲を、強靭なワイヤーと強力なスプリングの弾力を利用し、およそ４メートル毎に設置して、縦揺れには角パイプの中のスプリングとワイヤーで逃がし、横揺れには上部にある横揺れ用免震装置のスプリングで逃がせる角パイプ型免震装置。
【請求項７】
木の丸太の末口と元口の太さの違いを利用して、長い台形に製材し、木の繊維が切断されない事により、強度を上げて合掌や垂木等に使用する製材方法。
【請求項８】
相欠ぎに加工した角材を片つづみ形、又は両つづみ形の金具に入れ、木のクサビで両方からたたき込んで締めて接合し、強度を上げ大地震で揺れたり、木が乾燥して縮んでも、スプリングによるクサビゆるみ止めで自然に締まるようにして梁、桁、合掌、ぬき等に使用出来るジョイント金具。
【発明の詳細な説明】
【技術分野】
【０００１】    本発明は大地震時における建物の衝撃を減少させる免震装置と木材の強度を上げる製材方法及び強烈な揺れに耐えるジョイント金具に関する。
【背景技術】
【０００２】  従来の地震対策には、柱や梁、桁等、あらゆる接合部分に金具を多く取り付けた耐震構造がある。【０００３】  また、建物の土台部分に、ベアリングを設置して、免震しているものがある。（例えば非特許文献１参照。）以下図４２により従来の免震装置について説明する。
【非特許文献１】  「積水ハウス、住宅カタログ２００３」、「積水ハウス株式会社、２００３免震住宅」
【発明の開示】
【発明が解決しようとする課題】
【０００４】  耐震構造の建物にあっては、地震における揺れが、そのまま建物に伝わり、建物の倒壊や人、家具等に大きな被害が出る。【０００５】  また、基礎の上にベアリングを設置している免震住宅は、横揺れのみで、大きな縦揺れには対応出来ない。また、強風や台風時には、装置を切り換えて対応しないと、家に大きな被害が出る。【０００６】    また、ビル等の免震に使われる積層ゴムは、クッションがわずかなので充分に免震できず、特に縦揺れにはあまり効果がなく又、少しの風で揺れるので、いわゆるビル酔いになる。【０００７】    また、大きな角パイプやＨ形鋼を使った建物では、地震による火災が発生した場合、熱による、タレや変形等で倒壊しやすくなる。【０００８】    また、現在使われている木の建築材は、１本の原木の細い方にあわせて、太い方を製材するので、太い方に背板が多く出て、ロスが多く、また木の繊維も切断され、強度も落ちてもったいなかった。特に国産木は輸入材に比べて１本の丸太の末口と元口の径の差が大きく、歩留まりが悪いので高コストの原因の一つとされていた。【０００９】    また、今のプレカット工法の継ぎ手は機械加工で早く簡単に、おおきな刃物で工程を少なくしているので接合部分が浅く、Ｒ面が大きいので、ホゾ等は上の方しか締まっておらず又、ボルトやビスを多用するので、木が割れやすく、大地震に耐えられるかどうか不安があった。【００１０】    本発明はこのような従来の構成が有していた問題を、解決しょうとするものであり、大地震による大きな揺れを効果的に減少し、建物は勿論、人や家具に被害が出ない事を目的とするものである。
【課題を解決するための手段】
【００１１】    本発明は上記目的を達成するために、建物が揺れると、四角形から八角形のスライドする土台が、強力なスプリングの弾力と、スライド板との勾配及び抵抗や摩擦を利用して衝撃を緩衝させる四角形から八角形の土台免震装置を基本的特徴とする。【００１２】    また、建物の規模や質量が違っても同じ様な、ゆっくりと安定した揺れになるように、八角形のスライドする土台の台形振動受けや、スライド板の勾配及びスプリングの強さを変える。【００１３】    また、２階建て以上の建物で、上の階の床下に、通し柱用免震装置を、通し柱を挟んで２台、平行に設置する。【００１４】    また、大きな建物の柱の下に取り付けて、大地震の衝撃を逆台形のスライドする柱受けにスプリングを取り付けたり、柱ボックス用スポンジゴムにスプリングを当てる。【００１５】    また、難燃性の塗料をたっぷりと浸みこませた角材を、角パイプの中に挿入したり、Ｈ形鋼の空間部分にピッタリと、ボルトにより取り付ける。【００１６】    また、今建っている建物の周囲に約４メートル毎に、スプリングとワイヤーで、縦揺れの衝撃を逃がす角パイプを設置して、上部には横揺れ用免震装置を設置する。【００１７】    また、木の丸太は、繊維を切断すると強度が大きく落ちるのと、背板が多くなり、もったいないので、末口と元口の直径の違いをそのまま生かして、長い台形に製材し、太い方を家の中心に向けて、合掌や垂木等に使用する。【００１８】    角材を、つなぐ場合に、相欠ぎに加工した両端を、つづみ形又は両つづみ形の金具に入れ、両側からくさびを叩き込んで締めて接合し、さらにくさびゆるみ止めを取り付ける。
【発明の効果】
【００１９】    本発明の四角形から八角形の土台免震装置は、突き上げるような強烈な縦揺れや、激しい横揺れでも、台形振動受けが衝撃を逃がして、あたかも、シーソーや胴上げをしている様な、ゆっくりとした揺れに変える事が出来る。【００２０】    また、四角形から八角形の土台免震装置は、エネルギーを使わずに、しかも建物の大きさや質量が異なっても縦揺れや、横揺れの揺れを一定にする事が出来る。【００２１】  また、四角形から八角形の土台免震装置は地中に設置したり、通し柱用免震装置は、上の階の床下に設置出来るので外観も良く邪魔にならない。【００２２】  建物が高くなれば、土台がスライドしても、上の階へ行く程、少し遅れて柱の振幅が大きくなる、いわゆるスロッシング現象になり、建物が歪んでくるので上の階の床下に、通し柱用免震装置を設置して、歪みや揺れを逃がして衝撃を減少することができる。【００２３】    ベアリングや積層ゴムで免震するものと比べると極めて安定しており、台風や強風、突風等の影響を受けにくい。【００２４】    柱免震システムの柱ボックス用スポンジゴムに、柱縦揺れ用スプリング及び柱横揺れ    用スプリングが当たると、スポンジゴムとスプリングの相乗効果が発揮出来て、スポンジゴムだけよりもはるかに、衝撃が吸収される。【００２５】    木材入り角パイプや木材入りＨ形鋼にあっては、木材のわずかな質量がプラスされるだけで、上や横からの衝撃にも強くなり、特に木材に難燃性の塗料を充分に浸みこませると、一般の木材は２７０℃で引火するのに対し、難燃性の塗料では１３００℃でも引火しないので地震による火災が発生しても中の木材は燃えにくく、特に角パイプやＨ形鋼だけでの熱によるタレや変形が起き易いが、木材入りの角パイプやＨ形鋼は起きにくい。よって、人が避難しやすく又、類焼による被害を少なく出来る。【００２６】    さらに、角パイプ型免震装置にあっては、建物の改造をしなくても、周囲に簡単に又、安価に設置できる。【００２７】    また木の丸太を長い台形に製材するものにあっては、木のロスが少なくなるばかりでなく、太い方を家の中心に持ってきて、合掌や垂木等に使えば重心が中央に来るので、地震に対して強度が上がる。【００２８】    また、角材をつなぐジョイント金具にあっては、金具で包み込み、くさびで締めるので全体がよく締まり、１本物の材木と殆ど変わらないくらいの強度があり、ボルトやビスのように、その部分のみ締める工法でないので負荷が、かかってもわれず、特にネジレに強く、長年に渡って木が乾燥して縮んでも、クサビを追い込むか又、クサビゆるみ止めのスプリングによって自然に締まる。
【発明を実施するための最良の形態】
【００２９】    以下、本発明の実施の形態を図１〜図４１に基づいて説明する。【００３０】    図１は角パイプ１に材木２を入れる図である。【００３１】    図２は丸太材３を四面製材して角材４にした図である。【００３２】    丸太材５を上下ニ方に、木の末口と元口の大きさの違いを利用し、製材して６になり、さらに両横を製材して６Ａを作る。この時、６Ａは両横の厚さを同じにしても良いが、同じく、太さを変えて製材すれば強度がさらに増す。【００３３】    図３はＨ型鋼の空間に角材を組み込む斜視図である。【００３４】    Ｈ形鋼２０１に２０２Ｈ形鋼角材通し穴を、あけておく。【００３５】また２０３Ｈ形鋼補強角材に２０４角材ボルト通し穴と２０５角材面取りを加工しておく。【００３６】    さらに２０３Ｈ形鋼補強角材を２０１Ｈ形鋼に両側から挟み込む。【００３７】    さらに２０４角材ボルト通し穴に２０６Ｈ形鋼角材固定ボルトがＨ形鋼角材固定ボルト用ワッシャ２０７を通して２０８Ｈ形鋼角材固定ボルト用スプリングワッシャと、２０９Ｈ形鋼角材固定ボルト用ナット取り付けられる。【００３８】    図４は、ジョイント金具で角材をつなぐ図である。【００３９】    ７はジョイント金具、８と９は相欠ぎした木材、１０と１１は押さえ木、１２と１３はクサビである。【００４０】    また、２１０タップ穴付クサビゆるみ止めには２１１クサビ押しボルトが入り、２１２クサビ用スプリングが両側に穴あけされた後、溶接されて固定し、２１２クサビ用スプリングの先端は２１３スプリング取り付け穴を通って溶接し、固定される。【００４１】    図５は角材８と９をジョイント金具で、つないだ断面図である。又、７Ｂのような両つづみ形のジョイント金具で、つないでも良い。【００４２】    ジョイント金具７に相欠ぎした角材８，９を合せ、押さえ木１０と１１で挟み、クサビ１２と１３を叩き込んで締める。この時２１０のタップ穴付きクサビゆるみ止めは、
持ち上げておいて叩きこむ。【００４３】    この後、２１０のタップ穴付きクサビゆるみ止めの２１１クサビ押しボルトを少しづつ締めて、１２と１３のクサビを固定する。【００４４】    また、木の乾燥等でクサビが緩む可能性がある場合は、２１２クサビ用スプリングを、上下二段に取り付ければ、さらに安定し、締め付ける力が増して緩まなくなり、地震にも強くなる。【００４５】    図６はジョイント金具に角材を通し、締め付けている斜視図である。【００４６】    図７は合掌と桁、柱、ぬきの斜視図である。【００４７】    合掌１５には屋根１４が乗っている。又それを長手の桁１６、妻手の桁１７、免震装置対応柱１８、１９ぬきが支えている。【００４８】    図８は免震装置対応柱と土台の斜視図である。【００４９】    免震装置対応柱１８の下部には柱のボルト穴２２があけられている。【００５０】    また免震装置対応柱１８は第一土台２０と２１の第二土台で繋がれている。【００５１】    図９は免震装置対応柱の下部にとりつける部材の分解図である。【００５２】    上台の２４には２３柱ボックスが溶接され２５のボックスボルト穴が２個穴あけされて、１８の免震装置対応柱が入り、２６の柱用ボルトが２７の柱用スプリングワッシャと、２８の柱用ワッシャを通して２５のボックスボルト穴を通り、２９柱用ワッシャ、３０柱用スプリングワッシャおよび３１柱用ナットで締めつけられる。【００５３】    また、上台２４には３４，３５の上台用スポンジゴム大や３６，３７の上台用スポンジゴム小が接着剤で貼り付けられる。【００５４】    また、２３の柱ボックスには３２，３３の柱ボックス用スポンジゴム小と３８，３９の柱ボックス用スポンジゴム大を貼り付ける。【００５５】    また、４０の中台には４１中台ボルト穴が４個、ナット穴まで座ぐりされて、４２中台用ボルトと４３中台用ワッシャを通して、４４タッピングボルト穴で取り付けられる。
４５はスライドクサビ取り付け板みぞである。【００５６】    図１０は中台の下に取り付ける部材の分解図である。【００５７】    スライド柱受け５２には、スライドクサビ取り付けボルト穴５１が穴あけされ４６スライドクサビ取り付け板には４７中台取り付け穴が、あけられ、４９スライドクサビ取り付けボルトが５０スライドクサビ取り付けワッシャと４７の中台取り付け穴を通り、５１のスライドクサビ取り付け穴に固定される。【００５８】    さらに、４８の中台取り付けビスは４８Ａの中台取り付けビス穴を通り、中台４０の、４５スライドクサビ取り付け板みぞに固定される。【００５９】    図１１は柱免震システムの下部に取り付ける免震装置の部材の図である。【００６０】    下台の５３は一対の鉄板又は堅木で作られ、向き合う部分は勾配を付けてＶ字形とし、５８の下台スプリング大により５８Ａの下台スプリング固定ボルトで留められる。【００６１】    また、５４Ａの下台用ボルトスライド穴は合計４ヵ所穴あけされ、５４の下台用ボルトと、５５の下台用ボルトワッシャを通り、７８の研磨石材下の７８Ｃも通って、６８の住用免震枠小に固定される。【００６２】    また、下台５３の横には５６下台スプリング用穴が４ヵ所穴あけされ、５７の下台スプリング小が入り、横揺れすれば６８の柱用免震枠小に当たり、衝撃が緩衝される。【００６３】    また、２４上台の横には６３のトラック用板バネが６５のトラック用板バネ取り付けボルトと６６トラック用板バネ取り付けワッシャにより６４のトラック用板バネ取り付け穴を通り、柱用免震枠小６８に取り付けられる。【００６４】    また、７３の振動ストッパーの位置決めには５９の振動ストッパー受けがあり、６０の振動ストッパー固定穴が穴あけされ、６２の振動ストッパーワッシャを通り６１の振動ストッパー固定ボルトにより６８柱用免震枠小に取り付けられる。【００６５】    図１２は下台の側面図である。【００６６】    下台５３には５４Ａの下台用ボルトスライド穴に５４の下台用ボルトが入り、地震で    横揺れすると５８の下台スプリング大と平行に下台５３がスライドする。【００６７】    図１３は振動ストッパー固定ボルトと柱横揺れ用スプリングの斜視図である。【００６８】    ７０の振動ストッパー固定ボルトは７１の振動ストッパー固定ボルト用スプリングワッシャと７２振動ストッパー固定ボルト用ワッシャ及び１６９の柱横揺れ用スプリングを通る。【００６９】    図１４は柱用免震枠小の斜視図である。【００７０】    ６８の柱用免震枠小には６９の振動ストッパー固定ボルト通し穴が四面に１６個穴あけされている。６７はフーチングである。【００７１】    図１５は振動ストッパーを締めつける部材及びスプリングの斜視図である。【００７２】    ６９の振動ストッパー固定ボルト通し穴を通った７０の振動ストッパー固定ボルトは、７３の振動ストッパーを通り７５振動ストッパー固定ボルト用ワッシャ及び７６振動ストッパー固定ボルト用ナットで７４振動ストッパー固定ナット穴で固定される。【００７３】    また、１７１の柱縦揺れ用スプリングは１７０の柱縦揺れ用スプリング穴に固定される。【００７４】    図１６は柱ボックスを囲む、周囲の部材の斜視図である。【００７５���    柱ボックス２３には柱ボックス用スポンジゴム小の３２、３３や柱ボックススポンジゴム大の３８，３９が貼り付けられ、その周囲に振動ストッパー７３がある。【００７６】    また、振動ストッパー７３は６８柱用免震枠小に７０の振動ストッパー固定ボルトに取り付けられる。またその後に７７の柱用免震枠大がある。【００７７】    図１７は柱免震システムの断面図である。【００７８】    免震装置対応柱１８は２１の第一土台や１８９の第二土台を組み１９１の半柱で、つないでいて、１８９の第二土台より下は地中に収納されている。【００７９】    さらに柱ボックス２３にピッタリ入れて、２６の柱用ボルトで取り付けられその周囲を３８，３９の柱ボックス用スポンジゴム大と３２，３３の柱ボックス用スポンジゴム小で取り付けられている。【００８０】    また、下部には３４，３５，３６，３７の上台用スポンジゴム大及び小が上台２４に貼り付けられ、上台２４の下には４０の中台が取り付けられていて、さらにその下には５２のスライド柱受け、４６のスライドクサビ取り付け板が４９のスライドクサビ取り付けボルトにより取り付けられていて、さらに４８の中台取り付けビスにより、４８Ａの中台取り付けビス穴を通り４５のスライドクサビ取り付け板みぞに取り付けられる。【００８１】    また、５２のスライド柱受けの両側には５３下台があり、５８の強力な下台スプリン    グ大で引き寄せていて、５８Ａの下台スプリングボルトで留めている。【００８２】    さらに、５３下台は５５の下台ボルト用ワッシャを通り５４下台用ボルトで研磨石材下７８を挟み６８の柱免震枠小に届き５４Ａの下台用ボルトスライド穴で軽く締められＩ。【００８３】    さらに、５３下台には横揺れした時に４コの下台スプリング小５７が６８柱用免震枠小に当たり、衝撃を緩衝できる。【００８４】    また、７３振動ストッパーの中の７４振動ストッパー固定ナット穴には１６９の柱横揺れ用スプリングがある。【００８５】    さらに、７３振動ストッパー下部には、縦揺れを緩衝するための１７１の柱縦揺れ用スプリングがある。【００８６】    また、７３振動ストッパー下部には、位置を決めたり、重さにより垂れ下がるのを防ぐ為に、振動ストッパー受け５９があり、６１の振動ストッパー固定ボルトにより、６８柱用免震枠小に取り付けられる。【００８７】    また、７０の振動ストッパー固定ボルトは７１振動ストッパー固定ボルト用スプリングワッシャと７２振動ストッパー固定ボルト用ワッシャを通し、６８の柱用免震枠小の中の６９振動ストッパー固定ボルト通し穴を通って、７３振動ストッパーで７４振動ストッパー固定ナット穴の７５振動ストッパー固定ボルト用ワッシャ及び７６の振動ストッパー固定ボルト用ナットで締めつけられる。【００８８】    さらに２１第一土台の上には１９１の土台束があり、その上に１８９の第二土台が乗る。【００８９】    図１８は柱免震システムが地震により、縦揺れしている断面図である。【００９０】    １８の免震装置対応柱が、縦揺れで、突き上げられると、４０の中台も飛び上がり、３４，３５の上台用スポンジゴム大や、３６，３７の上台用スポンジゴム小が７３振動ストッパーの１７１柱縦揺れ用スプリングに当たり、スプリ��グの弾力の強さが、そのままはね返らずに、スポンジゴムに吸収され、両者の特長が出せて、大きく衝撃が緩衝される。【００９１】    また、同時に、クサビ形の５２スライド柱受けが上がり、５８下台スプリング大で引き寄せられている５３下台は中央に寄せられ、８１の浮いた空間が出来る。【００９２】    また、瞬時に、自重により５２スライド柱受けが下がり始めるが、中央に寄せられている下台の間をクサビを入れるように５２スライド柱受けが降下を始めるが、５８下台スプリングの力が強力なのと、クサビ形の５２スライド柱と、５３下台との摩擦や抵抗で、子供がシーソーをしているか又、胴上げをしている様な速度で降下するので、数分間、同じ様な衝撃で揺れても大きく緩衝される。【００９３】    図１９は、柱免震システムが地震により、地面が左に動いて、柱免震システムが右に    移動している断面図である。【００９４】地面が左に動けば、２１の第一土台は７９の研磨石材上を滑り、同時に１８の免震装置対応柱は、右に移動し、柱ボックス２３も右に動き、３９の柱ボックス用スポンジゴム大が、１６９の柱横揺れ用スプリングを押して、スプリングの弾力がスポンジゴムに吸収され大きく衝撃が緩衝される。【００９５】    また同じく、３５の上台用スポンジゴム大も、６８柱用免震枠小に当たり、緩衝される。【００９６】    また、４０の中台も同時に６３のトラック用板バネに当たり緩衝され、又、板バネの強さによって、殆ど元の位置に戻る事が出来る。【００９７】    また同じく、下台５３も５４の下台用ボルトに軽く当たりながら右に移動し、５７の下台スプリング小に当たったクッションと７８の研磨石材下との軽い摩擦とで、さらに緩衝される。【００９８】    図２０は柱免震システムが地震により、地面が右に動いて、柱免震システムが左に移動している断面図である。【００９９】    地面が右に動けば、２１の第一土台は、７９の研磨石材上を滑り、同時に１８の免震装置対応柱は、左に移動し、柱ボックスの２３も左に動き、３８の柱ボックス用スポンジゴム大が、１６９の柱横揺れ用スプリングを押して、スプリングの弾力がスポンジゴムに吸収され、大きく衝撃が緩衝される。【０１００】    また、同じく３４の上台用スポンジゴム大も、６８柱用免震枠小に当たり緩衝される。【０１０１】    また、４０の中台も同時に、６３のトラック用板バネに当たり緩衝され又、板バネの強さによって、殆ど元の位置に戻る事が出来る。【０１０２】    また、同じく、下台５３も５４の下台用ボルトに軽く当たりながら左に移動し、５７の下台スプリング小に当たったクッションと７８の研磨石材下との軽い摩擦で動く事により、さらに衝撃が緩衝される。【０１０３】    図２１は研磨石材下の斜視図である。【０１０４】    ７８の研磨石材下には、７８Ｃの研磨石材固定ボルト穴が４個穴あけされている。【０１０５】    図２２は平成１６年６月１２日出願した免震装置の斜視図で出願番号は特願２００４−２０２４５９である。【０１０６】地面コの上に基礎ウを立ち上げ、その上に研磨石材エを敷く。【０１０７】    その上に土台イを置き、柱アを立てる。土台イにはキのトラック用板バネで両側から挟み、さらに上から免震装置フレームのオを乗せ、土台イの���にはクッションの為の押さえスポンジゴムカが取り付けられる。【０１０８】また、キのトラック用板バネはクの板バネ固定ボルトで固定されウの基礎とオの免震装置フレームはケの免震装置固定ボルトで取り付けられる。【０１０９】    研磨石材エの上の土台イが揺れるとキのトラック用板バネに当たり緩衝され又、縦揺れによって土台イが飛び上がればカの押さえスポンジゴムによって緩衝される。【０１１０】    さらに、キのトラック用板バネは衝撃を緩衝するだけでなく、バネの力が強いので、元の位置に戻す役割にもなる。【０１１１】    図２３は男性が掛け矢を使い、コイルスプリングとスポンジゴムの特性を実験している図である。【０１１２】    図（ア）は９２の男性が９３掛け矢を振り上げて１７２の木の台に取り付けている、９４コイルスプリングを叩いている図である。【０１１３】    図イは９４コイルスプリングを叩いたあと、同じくらいの衝撃で頭の近くまで反発された図である。【０１１４】    図（ウ）は９２の男性が１７２の木の台に９５スポンジゴムを乗せて叩いている図である。【０１１５】    図（エ）は９５スポンジゴムの反発の状態を表した図である。スポンジゴムは弱く叩けばショックもはね上がりも小さいが、強く叩くとスポンジゴムだけでも大きく飛び上がる。【０１１６】    図２４は同じく男性が掛け矢を使い、コイルスプリングとスポンジゴムを重ねて実験している図である。【０１１７】    図（オ）は９２の男性が９３掛や矢を振り上げて１７２木の台の上のコイルスプリング９４の上に取付けた９５スポンジゴムを叩く図である。【０１１８】    図（カ）は９３掛け矢で強く叩いても、スポンジゴム９５のクッションと９４コイルスプリングが、お互いに緩衝しあって、特にコイルスプリングは絶妙にたわんで、掛け矢９３の、はね上がりと手に響く衝撃が少なかった。【０１１９】    この結果により、柱免震システムのスポンジゴムに柱横揺れ用スプリング１６９及び、１７１の柱縦揺れ用スプリングの採用に至った。【０１２０】    図２５は八角形土台免震装置の土台部分の分解図である。【０１２１】    図（Ｈ）は２１の第一土台に、９６の振動受け用角材と９７の台形振動受けが、取り付けられる。【０１２２】    図（Ｉ）は２１の第一土台に、９６振動受けが乗り、９７の台形振動受けが、いずれも接着材とトラスタッピングにより、取り付けられる。【０１２３】    図２６は、八角形土台免震装置の分解図である。【０１２４】    ９８の八角形土台免震装置フレームは、上に１１６上スライド板受けを取り付ける為の１８６天板があり、下には１９４の底板がある。【０１２５】    また、１０５下スライド板受けには１０９下スライド板受けボルトが１１０の下スライド板受けボルト穴を通り１００の下スライド板受け固定ボルト用穴で取り付けられる。【０１２６】    また１０７の下スライド板用スプリング固定ボルトは１０８の下スライド板用スプリングを留めて、１０６の下スライド板用スプリング固定ボルト用穴に取り付けられる。【０１２７】    また１０５下スライド板受けには、１１１の下スライド板が通り、１１５のスプリング固定バーが１１４のバー固定ボルトにより１１３のバー固定ボルト穴を通り１１２のスプリング固定バー取り付け穴に固定され、１２３のスプリング固定みぞには１０８の下スライド板用スプリングが取り付けられる。【０１２８】    又、１０２の八角形土台免震装置フレーム固定ボルト用穴には１０１の八角形土台免震装置フレーム固定ボルトが基礎の８０を通って１０４の八角形土台免震装置フレーム固定ボルト用ワッシャと１０３の八角形土台免震装置フレーム固定ボルト用ナットで固定される。【０１２９】    また、９６の振動受け用角材には９７の台形振動受けが、接着剤とトラスタッピングビスにより、取り付けられる。【０１３０】    また、９６の振動受け用角材の上に、取り付ける、１２８の土台用スポンジゴムは、２１の第一土台が上に上がった時のキズ防止及び衝撃緩衝に使われる。【０１３１】    図２７は、八角形土台免震装置の上スライド板に関わる部材の分解図である。【０１３２】    １１８の上スライド板受けボルトは１１６の上スライド板受けの１１７上スライド板受けボルト穴を通り、タッピングされた９９の上スライド板受け固定ボルト用穴に取り付けられる。【０１３３】    また、１１９の上スライド板用スプリング固定ボルト用穴には１２０上スライド板用スプリング固定ボルトが１２１の上スライド板用スプリングと共に取り付けられる。【０１３４】    また、１２１の上スライド板用スプリングは１２２のスプリング固定バーの１２３スプリング固定みぞに取り付けられる。【０１３５】    さらに、１２２のスプリング固定バーは１２４のバー固定ボルトにより１２５バー固定ボルト穴を通って１２６の上スライド板の１２７スプリング固定バー取り付け穴に取り付けられる。【０１３６】    図２８は、八角形土台免震装置が、縦揺れ時の動きを表した断面図である。【０１３７】    図（Ｊ）は、八角形土台免震装置が、地震の揺れを受ける前の断面図である。【０１３８】    図（Ｋ）において、激しい縦揺れを受けると、９７の、台形振動受けが飛びあがって、１２１の上スライド板用スプリングに、両側から引き寄せられていた１１６の上スライド板受けの中の１２６上スライド板が、外側に押し拡げられる。この時、スプリングの引き寄せる力に加えて、９７の台形振動受けが、１２６の上スライド板を丁度、クサビが割り込むような状態になり、９７の台形振動受けと１２６の上スライド板との勾配による摩擦や抵抗により、９７の台形振動受けの飛び上がりが、大きく緩衝される。８１は、浮いた空間である。【０１３９】    また同時に、１２８の上台用スポンジゴムは、１８６天板に当たり、９７の台形振動受けに、傷が付くのを保護すしたり衝撃を緩衝する。【０１４０】    また、図（Ｌ）において瞬時に、９７の台形振動受けが、降下を始めて１０５の下スライド板受けの中の１１１下スライド板が外側に押し拡げられる。この時、１０８の下スライド板用スプリングの引き寄せる力に加えて、９７の台形振動受けが、１１１の下スライド板をクサビを割り込むような状態になり、９７の台形振動受けと、１１１の下スライド板との勾配による摩擦や抵抗により、９７の台形振動受けが１９４の底板に衝撃が減少されてゆっくりと降下する。【０１４１】    図（Ｍ）は９７の台形振動受けが、１９４の底板に到着した図である。【０１４２】    図２９は、八角形土台免震装置が、横揺れ時の動きを表した断面図である。【０１４３】    図（Ｎ）は、八角形土台免震装置が、地震の揺れを受ける前の断面図である。【０１４４】    図（０）において、激しく左に揺られ、右に９７の台形振動受けが動き、１２６の上スライド板も右にスライドし、１２１の上スライド板用スプリングの右側が伸び、同時に下スライド板１１１も右にスライドして、１０８の下スライド板用スプリングも右に伸びて、９７台形振動受けの衝撃が緩衝される。【０１４５】    図（Ｐ）において、激しく右に揺られ、左に９７の台形振動受けが動き、１２６の上スライド板も左にスライドし、１２１の上スライド板用スプリングの左側が伸び、同時に下スライド板１１１も左にスライドして、１０８の下スライド板用スプリングも左に伸びて、９７台形振動受けの衝撃が緩衝される。【０１４６】    図（Ｑ）は衝撃が、鎮まり９７台形振動受けが元の位置に戻った図である。【０１４７】    図３０は、基礎につなげた柱免震システムとトラックの板バネを使った免震装置の斜視図である。【０１４８】    免震対応柱１８には２１の第一土台と１８９の第二土台が掛けられその間には１９１の土台束がある。【０１４９】    また、免震対応柱１８には、２３柱ボックス、３９の柱ボックス用スポンジゴム大と、７３の振動ストッパー、６８の柱用免震枠小及び７７の柱用免震枠大に囲まれる。【０１５０】    また、８０の基礎の上には７９の研磨石材上があり、１２９の免震装置フレームが、１３２免震装置固定ボルトにより取り付けられ又、１３１のトラック用板バネは１３０の板バネ固定ボルトにより８０の基礎に取り付けられる。【０１５１】    また、１２９の免震装置フレーム上部には第一土台の２１が飛び上がった時のクッションの為の１３３押さえスポンジゴムがある。【０１５２】    また、６７及び１３４はフーチングである。【０１５３】    図３１は、基礎の上に設置した八角形土台免震装置の斜視図である。【０１５４】    ８０の基礎の上に７９の研磨石材上があり、９８の八角形土台免震装置フレームが取り付けられ、１０１の八角形土台免震装置フレーム固定ボルトで取り付けられている。【０１５５】    また、７９の研磨石材上には１９４の底板を沈める為の１７６研磨石材ジィントみぞがあり、２１の第一土台が、７９の研磨石材上に直接、当たれる様にしている。【０１５６】    また、１９０の柱には２１の第一土台と１８９の第二土台が掛けられ、その間には、１９１の土台束がある。【０１５７】    また、９８の八角形土台免震装置フレームの中には、９７の台形振動受けがある。【０１５８】    図３２は地中に設置した柱免震システムや、板バネを使った免震装置及び八角形土台免震装置の上に乗せる土台カバーや、水切りの斜視図である。【０１５９】    １７７の土台カバーは、地中に設置した、各免震装置の上に設置するもので、１７８の土台カバー取り付け穴に、１７５の土台カバー取り付けボルト用ワッシャを通した、１７４土台カバー取付けボルトを１７３の基礎土台カバー取付け穴で取り付ける。【０１６０】    また、水切り１７９は１８１の水切り固定ビスにより、１８０水切り固定穴を通して、１８９の第二土台に取り付けられる。【０１６１】    図３３��地中に設置した各、免震装置の上に、土台カバーや水切りを設置した図である。【０１６２】    土台カバー１７７は、１７４の土台カバー取り付けボルトで基礎８０に取付けられ、水切り１７９は１８１の水切り固定ビスにより１８９の第二土台に取付けられ、１８２は地面である。【０１６３】    図３４は基礎に柱免震システム、板バネ免震装置、及び八角形土台免震装置を設置した平面図である。【０１６４】    １９５は柱免震システムで、１９６は板バネ免震装置、１９７は八角形土台免震装置である。【０１６５】    ６７及び、１３４はフーチングであり、１３５は火打ちで、２１は第一土台である。【０１６６】    図３５は通し柱に、八角形土台免震装置を取り付けた、斜視図である。【０１６７】    １８８の通し柱用穴を通った１８４通し柱は、両側に補強材１８５を取付けた１９８の通し柱用土台に、１９７八角形土台免震装置を１８３の床に１８７八角形土台免震装置フレーム固定ボルトにより固定される。【０１６８】    図３６は角パイプに、ワイヤーとスプリングを使った免震装置の分解図である。【０１６９】    １３６の角パイプの底に１３７の台座を溶接し、ピッタリ入る角材１３８を入れ、その上に１３９のスプリング受けがあり、その上に１４０縦揺れ用スプリングがあって、その上に１４１の角パイプフタが乗り、１４３のワイヤー通し穴が、あけられていて、ワイヤー１４４が通って、１５４のワイヤー留めで留められる。【０１７０】    また、１３６の角パイプ上部には、１４１の角パイプフタが入り１４６の角パイプフタ固定用ボルトが１４５の角パイプフタ固定用ボルト穴を通り、１４７の角パイプフタ固定用ナットで留められる。【０１７１】    また、１３６の角パイプの家側に向かう面には、１４８の固定板があり、１４９の丸パイプ大が１４８の固定板に溶接され、その中には１５０のスプリング小が入り、その後に、両端がフタをされた円柱１５１も入り、円柱の外にピッタリ入る１５２スプリング大があり、１５３の衝撃板と１５１の円柱が溶接されて１６５の横揺れ用免震装置となる。【０１７２】    さらに、１４８の固定板が１３６の角パイプに溶接される。【０１７３】    図３７は、家の両側に、角パイプ型免震装置を設置した断面図である。【０１７４】    家１６４の両側に角パイプ１３６が立ち、１６３地面の中には、１３７台座がある。【０１７５】    また、１３６の角パイプの中には、１３８木の角材が入っている。【０１７６】    また、１３６の角パイプの上部には１３９のスプリング受けがあり、１４０の、縦揺れ用スプリングの中を１４４縦揺れ用ワイヤーが１５９の梁の上を、たるみが無く、ピッタリと張られて１３６の角パイプが向き合う。【０１７７】    また、１３６の角パイプ上部には、１４８固定板、１４９丸パイプ大、１５０スプリング小、１５１円柱、１５２スプリング大、１５３衝撃版を組み、１４８固定板と角パイプ１３６を溶接して横揺れ用震装置となる。【０１７８】    また、１５４は、ワイヤー留めで１５５は、基礎フーチングで、２００は基礎であり、１５６、１５７は土台で１５８の柱を乗せて、さらに１５９の梁や１６０の桁を組んでいる。【０１７９】    図３８は家が激しく縦揺れして、突き上げられている��面図である。【０１８０】    また、いくら金物で固定していても、強い縦揺れの地震で１６４の家が突き上げられると、１５９の梁や１６０の桁が大きく浮き上がり抜けようとするので、家の両側に設置した１３６角パイプの中の１４４縦揺れ用ワイヤーが上がり、１３６角パイプの中で留められたワイヤー留め１５４が強力な１４０縦揺れ用スプリングを押して、衝撃を緩衝する。【０１８１】    また、１６２の浮いた空間は衝撃により出来たもので、１４４の縦揺れ用ワイヤーと１４０の縦揺れ用スプリングの力及び屋根の重みで元に戻る。【０１８２】    図３９は家が地震により、左に揺れている断面図である。【０１８３】    家１６４が左に揺れると、１５３の衝撃版が押され、１５２のスプリング大の中に入っている１５１の円柱は、両端が塞がれているので、１４９の丸パイプ大の中に入っている１５０スプリング小と１５２のスプリング大を押す。【０１８４】    つまり、１５３の衝撃版が押される事により、スプリングで二重に衝撃を緩衝するので、大きく揺れを逃がす事が出来る。【０１８５】    図４０は家が地震により、右に揺れている断面図である。【０１８６】    家１６４が右に揺れると１５３の衝撃板が右に押され、１５２のスプリング大の中に入っている１５１の円柱は、両端が塞がれているので１４９の丸パイプ大の中に入っている１５０スプリング小と１５２のスプリング大を押す事により、スプリングで二重に衝撃を緩衝する事が出来る。【０１８７】    図４１は家の周囲に、角パイプ型免震装置を取り付けた図である。【０１８８】    １６４は家である。１９９は角パイプ型免震装置で、１６５は横揺れ用免震装置である。【０１８９】    図４２は非特許文献１は基礎１６８の上に、１６７ベアリングを使った免震装置の図である。【０１９０】    以上のように本実施形態によれば、大地震時における強烈な縦揺れや横揺れの衝撃を減少させて、安心して生活出来る免震装置として、提供するものである。
【図面の簡単な説明】
【０１９１】  寸法、形状の比例関係は、分かりやすくする為に誇張して描いており、また、左右同じの箇所や、重複する説明は省略している。
【図１】本発明の角パイプ型免震装置に使用する角パイプの中に、木材を入れる図である。
【図２】同じく丸太材を四面挽いて角材にした図と、太さの違いを利用して上下二面及び四面製材した図である。
【図３】同じくＨ形鋼に木の角材を組み込んで取り付けた斜視図である。
【図４】同じく、ジョイント金具で角材をつなぐ図である。
【図５】同じく、角材をジョイント金具及びクサビでつないだ断面図と両つづみ形の、ジョイント金具の斜視図である。
【図６】同じく、角材を片つづみ形のジョイント金具で、つないだ斜視図である。
【図７】同じく、合掌と桁、柱、ぬき、の斜視図である。
【図８】同じく、免震装置対応柱と土台の斜視図である。
【図９】同じく、免震装置対応柱の下部に取り付ける部材の分解図である。
【図１０】同じく、中台の下に取り付ける部材の分解図である。
【図１１】同じく、柱免震システムの下部に取り付ける免震装置の分解図である。
【図１２】同じく、下台の側面図である。
【図１３】同じく、振動ストッパー固定ボルトと柱横揺れ用スプリングの斜視図である。
【図１４】同じく、柱用免震枠小の斜視図である。
【図１５】同じく、振動ストッパーを締め付ける部材及びスプリングの斜視図である。
【図１６】同じく、柱ボックスを囲む周囲の部材の斜視図である。
【図１７】同じく、柱免震システムの断面図である。
【図１８】同じく、柱免震システムが地震により、縦揺れしている断面図である。
【図１９】同じく、柱免震システムが地震により右に移動している断面図である。
【図２０】同じく、柱免震システムが地震により左に移動している断面図である。
【図２１】同じく、下台に敷く、研磨石材下の斜視図である。
【図２２】平成１６年６月１２日に出願した免震装置の斜視図である。
【図２３】本発明に使用する、コイルスプリングとスポンジゴムの特性を実験している図である。
【図２４】本発明に使用するコイルスプリングとスポンジゴムを重ねて掛け矢で叩いて実験している図である。
【図２５】本発明の八角形土台免震装置の土台部分の分解図である。
【図２６】同じく、八角形土台免震装置の分解図である。
【図２７】同じく、八角形土台免震装置の、上スライド板に関わる、部材の分解図でる。
【図２８】同じく、八角形土台免震装置が縦揺れをしている時の動きを表した正面図である。
【図２９】同じく、八角形土台免震装置が横揺れをしている時の動きを表した正面図である。
【図３０】同じく、基礎につなげた柱免震システムとトラックの板バネを使った免震装置の斜視図である。
【図３１】同じく、基礎の上に設置した八角形土台免震装置の斜視図である。
【図３２】同じく、地中に設置した柱免震システムや、板バネを使った免震装置及び八角形土台免震装置の上に乗せる土台カバーや水切りの斜視図である。
【図３３】同じく、地中に設置した各、免震装置の上に、土台カバーや水切りを設置した図である。
【図３４】同じく、基礎に柱免震システム、板バネ免震装置、及び八角形土台免震装置を設置した平面図である。
【図３５】同じく、通し柱に、八角形土台装置を２台取り付けた斜視図である。
【図３６】同じく、角パイプにワイヤーとスプリングを使った免震装置の分解図である。
【図３７】同じく、家の両側に角パイプ型免震装置を設置した断面図である。
【図３８】同じく、家が激しく縦揺れして、突き上げられている断面図である。
【図３９】同じく、家が地震により、左に揺れている断面図である。
【図４０】同じく、家が地震により、右に揺れている断面図である。
【図４１】同じく、家の周囲に角パイプ型免震装置を取り付けた図である。
【図４２】非特許文献１で、ベアリングの免震装置を設置している図である。
【符号の説明】
【０１９２】１      角パイプ
２      木の角材
３      木の丸太
４      製材した角材
５      木の丸太
６      二面斜めに挽いた木材
６Ａ    四面斜めに挽いた木材
７      片つづみ形ジョイント金具
７Ｂ    両つづみ形ジョイント金具
８      角材
９      角材
１０    押さえ木
１１    押さえ木
１２    クサビ
１３    クサビ
１４    屋根
１５    合掌
１６    長手の桁
１７    妻手の桁
１８    免震装置対応柱
１９    ぬき
２０    第一土台
２１    第一土台
２２    柱のボルト穴
２３    柱ボックス
２４    上台
２５    ボックスボルト穴
２６    柱用ボルト
２７    柱用スプリングワッシャ
２８    柱用ワッシャ
２９    柱用ワッシャ
３０    柱用スプリングワッシャ
３１    柱用ナット
３２    柱ボックス用スポンジゴム小
３３    柱ボックス用スポンジゴム
３４    上台用スポンジゴム大
３５    上台用スポンジゴム大
３６    上台用スポンジゴム小
３７    上台用スポンジゴム小
３８    柱ボックス用スポンジゴム大
３９    柱ボックス用スポンジゴム大
４０    中台
４１    中台ボルト穴
４２    中台用ボルト
４３    中台用ワッシャ
４４    上台タッピングボルト穴
４５    スライドクサビ取り付け板みぞ
４６    スライドクサビ取り付け板
４７    中台取り付け穴
４８    中台取り付けビス
４８Ａ  中台取り付けビス穴
４９    スライドクサビ取り付けボルト
５０    スライドクサビ取り付けワッシャ
５１    スライドクサビ取り付けボルト穴
５２    スライド柱受け
５３    下台
５４    下台用ボルト
５４Ａ  下台用ボルトスライド穴
５５    下台ボルト用ワッシャ
５６    下台スプリング用穴
５７    下台スプリング小
５８    下台スプリング大
５８Ａ  下台スプリング固定ボルト
５９    振動ストッパー受け
６０    振動ストッパー固定穴
６１    振動ストッパー固定ボルト
６２    振動ストッパー固定ワッシャ
６３    トラック用板バネ
６４    トラック用板バネ取り付け穴
６５    トラック用板バネ取り付けボルト
６６    トラック用板バネ取り付けワッシャ
６７    フーチング
６８    柱用免震枠小
６９    振動ストッパー固定ボルト通し穴
７０    振動ストッパー固定ボルト
７１    振動ストッパー固定ボルト用スプリングワッシャ
７２    振動ストッパー固定ボルト用ワッシャ
７３    振動ストッパー
７４    振動ストッパー固定ナット穴
７５    振動ストッパー固定ボルト用ワッシャ
７６    振動ストッパー固定ボルト用ナット
７７    柱用免震枠大
７８    研磨石材下
７８Ｃ  研磨石材固定ボルト穴
７９    研磨石材上
８０    基礎
８１    浮いた空間
ア      柱
イ      土台
ウ      基礎
エ      研磨石材
オ      免震装置フレーム
カ      押さえスポンジゴム
キ      トラック用板バネ
ク      板バネ用固定ボルト
ケ      免震装置固定ボルト
コ      地面
９２    男性
９３    掛け矢
９４    コイルスプリング
９５    スポンジゴム
９６    振動受け用角材
９７    台形振動受け
９８    八角形土台免震装置フレーム
９９    上スライド板受け固定ボルト用穴
１００  下スライド板受け固定ボルト用穴
１０１  八角形土台免震装置フレーム固定ボルト
１０２  八角形土台免震装置フレーム固定ボルト用穴
１０３  八角形土台免震装置フレーム固定ボルト用ナット
１０４  八角形土台免震装置フレーム固定ボルト用ワッシャ
１０５  下スライド板受け
１０６  下スライド板用スプリング固定ボルト用穴
１０７  下スライド板用スプリング固定ボルト
１０８  下スライド板用スプリング
１０９  下スライド板受けボルト
１１０  下スライド板受けボルト穴
１１１  下スライド板
１１２  スプリング固定バー取り付け穴
１１３  バー固定ボルト穴
１１４  バー固定ボルト
１１５  スプリング固定バー
１１６  上スライド板受け
１１７  上スライド板受けボルト穴
１１８  上スライド板受けボルト
１１９  上スライド板用スプリング固定ボルト用穴
１２０  上スライド板用スプリング固定ボルト
１２１  上スライド板用スプリング
１２２  スプリング固定バー
１２３  スプリング固定みぞ
１２４  バー固定ボルト
１２５  バー固定ボルト穴
１２６  上スライド板
１２７  スプリング固定バー取り付け穴
１２８  土台用スポンジゴム
１２９  免震装置フレーム
１３０  板バネ固定ボルト
１３１  トラック用板バネ
１３２  免震装置固定ボルト
１３３  押さえスポンジゴム
１３４  フーチング
１３５  火打ち
１３６  角パイプ
１３７  台座
１３８  木の角材
１３９  スプリング受け
１４０  縦揺れ用スプリング
１４１  角パイプフタ
１４２  角パイプフタ固定用ボルト通し穴
１４３  ワイヤー通し穴
１４４  縦揺れ用ワイヤー
１４５  角パイプフタ固定用ボルト穴
１４６  角パイプフタ固定用ボルト
１４７  角パイプフタ固定用ナット
１４８  固定板
１４９  丸パイプ大
１５０  スプリング小
１５１  円柱
１５２  スプリング大
１５３  衝撃板
１５４  ワイヤー留め
１５５  基礎フーチング
１５６  土台
１５７  土台
１５８  柱
１５９  梁
１６０  桁
１６１  ホゾ
１６２  浮いた空間
１６３  地面
１６４  家
１６５  横揺れ用免震装置
１６６  家
１６７  ベアリング
１６８  基礎
１６９  柱横揺れ用スプリング
１７０  柱縦揺れ用スプリング穴
１７１  柱縦揺れ用スプリング
１７２  木の台
１７３  基礎土台カバー取り付け穴
１７４  土台カバー取り付けボルト
１７５  土台カバー取り付けボルト用ワッシャ
１７６  研磨石材ジョイントみぞ
１７７  土台カバー
１７８  土台カバー取り付け穴
１７９  水切り
１８０  水切り固定穴
１８１  水切り固定ビス
１８２  地面
１８３  床
１８４  通し柱
１８５  補強材
１８６  天板
１８７  八角形土台免震装置フレーム固定ボルト
１８８  通し柱用穴
１８９  第二土台
１９０  柱
１９１  土台束
１９２  地面
１９３  コンクリート基礎
１９４  底板
１９５  柱免震システム
１９６  板バネ免震装置
１９７  八角形土台免震装置
１９８  通し柱用土台
１９９  角パイプ型免震装置
２００  基礎
２０１  Ｈ形鋼
２０２  Ｈ形鋼角材通し穴
２０３  Ｈ形鋼補強角材
２０４  角材ボルト通し穴
２０５  角材面取り
２０６  Ｈ形鋼角材固定ボルト
２０７  Ｈ型鋼角材固定ボルトワッシャ
２０８  Ｈ形鋼角材固定ボルト用スプリングワッシャ
２０９  Ｈ形鋼角材固定ボルト用ナット
２１０  タップ穴付きクサビゆるみ止め
２１１  クサビ押しボルト
２１２  クサビ用スプリング
２１３  スプリング取り付け穴
【図１】
2008106604.tif 000003
【図２】
2008106604.tif 000004
【図３】
2008106604.tif 000005
【図４】
2008106604.tif 000006
【図５】
2008106604.tif 000007
【図６】
2008106604.tif 000008
【図７】
2008106604.tif 000009
【図８】
2008106604.tif 000010
【図９】
2008106604.tif 000011
【図１０】
2008106604.tif 000012
【図１１】
2008106604.tif 000013
【図１２】
2008106604.tif 000014
【図１３】
2008106604.tif 000015
【図１４】
2008106604.tif 000016
【図１５】
2008106604.tif 000017
【図１６】
2008106604.tif 000018
【図１７】
2008106604.tif 000019
【図１８】
2008106604.tif 000020
【図１９】
2008106604.tif 000021
【図２０】
2008106604.tif 000022
【図２１】
2008106604.tif 000023
【図２２】
2008106604.tif 000024
【図２３】
2008106604.tif 000025
【図２４】
2008106604.tif 000026
【図２５】
2008106604.tif 000027
【図２６】
2008106604.tif 000028
【図２７】
2008106604.tif 000029
【図２８】
2008106604.tif 000030
【図２９】
2008106604.tif 000031
【図３０】
2008106604.tif 000032
【図３１】
2008106604.tif 000033
【図３２】
2008106604.tif 000034
【図３３】
2008106604.tif 000035
【図３４】
2008106604.tif 000036
【図３５】
2008106604.tif 000037
【図３６】
2008106604.tif 000038
【図３７】
2008106604.tif 000039
【図３８】
2008106604.tif 000040
【図３９】
2008106604.tif 000041
【図４０】
2008106604.tif 000042
【図４１】
2008106604.tif 000043
【図４２】
2008106604.tif 000044